【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
薬剤を希釈剤と混合して、前記薬剤と前記希釈剤との混合物を噴霧するための流体アプリケーションシステムであって、前記システムが、
噴霧器ハウジングと、
前記希釈剤を保持するための希釈剤リザーバと、
前記薬剤を収容するための薬剤容器であって、前記薬剤容器が、前記薬剤容器の開口部のバルブに薬剤を送達するための薬剤浸漬管を含み、前記薬剤浸漬管が、前記薬剤浸漬管の近接セクションの内径よりも小さい内径を有する制限オリフィスと流体連通し、前記バルブが、前記容器の前記開口部からの流体流れが遮断される閉鎖位置を有し、前記バルブが、前記容器の前記開口部から流体が流れることができる開放位置を有し、前記薬剤容器を前記噴霧器ハウジングに取り付けたときに、前記バルブが前記閉鎖位置から前記開放位置に移動する、薬剤容器と、
前記噴霧器ハウジングの中に配置されたマニホールドであって、前記マニホールドが、前記希釈剤リザーバ及び前記マニホールドの混合チャンバと流体連通する希釈剤吸入口を含み、前記マニホールドが、前記薬剤浸漬管及び前記混合チャンバと流体連通する薬剤吸入口を含み、前記マニホールドが、前記混合チャンバと流体連通する吐出口を含む、マニホールドと、
前記マニホールドの前記吐出口と流体連通するポンプチャンバを含むポンプアセンブリであって、前記ポンプアセンブリが、前記マニホールドの前記吐出口から前記ポンプアセンブリへと前記希釈剤と前記薬剤との混合物を引き出し、次いで、前記薬剤と前記希釈剤との前記混合物を噴霧するためのノズルから、前記希釈剤と前記薬剤との前記混合物を発射する、ポンプアセンブリと、
を備え、
前記バルブが、バルブ本体を含み、
前記バルブ本体が、入口オリフィスを有し、
前記制限オリフィスが、前記バルブ本体の前記入口オリフィスの中に配置される
流体アプリケーションシステム。
【請求項２】
前記薬剤と前記希釈剤との前記混合物の薬剤対希釈剤比が、１：１６〜１：２５６である、請求項１に記載の流体アプリケーションシステム。
【請求項３】
前記マニホールドの前記吐出口の下流の前記混合物の流量が、毎秒約０．５〜約３．５ミリリットルの範囲であり、
希釈剤圧力差が、約−０．５ｐｓｉ〜約−２．５ｐｓｉの範囲であり、
薬剤圧力差が、約０ｐｓｉ〜約−２．５ｐｓｉの範囲である、
請求項１又は２に記載の流体アプリケーションシステム。
【請求項４】
前記噴霧器ハウジングが、前記噴霧器ハウジングに前記薬剤容器を取り付けるための取付け機構を備え、前記取付け機構が、前記薬剤容器のクロージャの中空の吐出口に係合するのに好適な可動式カラーを含む、請求項１に記載の流体アプリケーションシステム。
【請求項５】
前記薬剤容器が、マウンティングカップを含み、
前記マウンティングカップが、前記薬剤容器の前記開口部に取り付けられ、
前記バルブが、バルブステムをさらに含み、
前記バルブ本体が、前記マウンティングカップに取り付けられ、それにより、前記バルブ本体と前記マウンティングカップとの間に閉鎖空間を規定し、
前記バルブステムが、前記閉鎖空間の中に配列された第１の端部を有し、
前記バルブステムが、前記閉鎖空間の反対側で前記マウンティングカップから延びた第２の端部を有する、
前記バルブステムが、前記バルブステムの出口開口部及び前記バルブステムの壁中のステムオリフィスと流体連通する流路を有し、
前記バルブが前記閉鎖位置にあるとき、前記閉鎖空間から前記ステムオリフィスへの流体流れが遮断され、
前記バルブが前記開放位置にあるとき、流体が、前記閉鎖空間から前記ステムオリフィスを通って前記流路へと流れることができる、請求項１に記載の流体アプリケーションシステム。
【請求項６】
前記薬剤容器の前記マウンティングカップが１方向バルブを含み、前記１方向バルブにより、周囲空気が前記薬剤容器に入って、そこから分注される薬剤と置き換わることが可能になる、請求項５に記載の流体アプリケーションシステム。
【請求項７】
前記薬剤容器の前記マウンティングカップが２方向バルブを含み、前記２方向バルブにより、周囲空気が前記薬剤容器に入って、そこから分注される薬剤と置き換わることが可能になり、前記２方向バルブにより、前記薬剤により生成された気体が前記薬剤容器を出ることが可能になる、請求項５に記載の流体アプリケーションシステム。
【請求項８】
前記噴霧器ハウジングが、前記マニホールドの前記薬剤吸入口と流体連通するアクチュエータ本体を含み、前記アクチュエータ本体が、前記バルブステムに係合し、かつ、前記薬剤容器を前記噴霧器ハウジングに取り付けたときに前記バルブが開放位置に移動するように寸法決定された入口ポートを有する、請求項５に記載の流体アプリケーションシステム。
【請求項９】
前記希釈剤リザーバから希釈剤が枯渇したときには、前記薬剤容器から薬剤が分注されない、請求項１に記載の流体アプリケーションシステム。
【請求項１０】
噴霧器ハウジングへと導入される薬剤のための容器であって、前記容器が、
本体及び前記容器の開口部を形成する中空ネックと、
前記容器の前記開口部に固定されるマウンティングカップと、
前記マウンティングカップに取り付けられたバルブ本体であって、それにより、前記バルブ本体と前記マウンティングカップとの間に閉鎖空間が規定される、バルブ本体と、
前記閉鎖空間の中に配列された第１の端部を有し、かつ、前記閉鎖空間の反対側で前記マウンティングカップから延びた第２の端部を有するバルブステムであって、前記バルブステムが、前記バルブステムの出口開口部及び前記バルブステムの壁のステムオリフィスと流体連通する流路を有する、バルブステムと、
周囲空気が前記容器に入って、そこから分注される薬剤と置き換わることを可能にするバルブと、
を有し、
前記バルブステムが、前記閉鎖空間から前記ステムオリフィスへの流体流れが遮断される閉鎖位置を有し、
前記バルブステムが、前記開口部から前記ステムオリフィスを通って前記流路へと流体が流れることができる開放位置を有し、
前記バルブ本体が、前記閉鎖空間と流体連通する入口オリフィスを有し、
制限オリフィスが、前記入口オリフィスの中に配置される、
噴霧器ハウジングへと導入される薬剤のための容器。
【請求項１１】
前記制限オリフィスの内径が、０．０７ミリメートル〜０．７ミリメートルの範囲である、請求項１又は１０に記載の容器。
【請求項１２】
前記バルブが、ほぼ前記容器の外側の周囲圧力に前記容器中の圧力を維持する１方向バルブであり、前記１方向バルブが、前記マウンティングカップの壁中に配置される、請求項１０に記載の容器。
【請求項１３】
前記バルブが２方向バルブであり、前記２方向バルブにより、周囲空気が前記容器に入って、そこから分注される薬剤と置き換わることが可能になり、前記薬剤により生成された気体が前記容器から出ることが可能になり、前記２方向バルブが、前記マウンティングカップの壁中に配置される、請求項１０に記載の容器。
【請求項１４】
前記マウンティングカップが、前記マウンティングカップの側部から離れるように延びた壁を含み、前記マウンティングカップの前記壁が、前記マウンティングカップの前記壁の端部から径方向外向きに延びたフランジを含む、請求項１０に記載の容器。
【請求項１５】
前記バルブステムが前記開放位置にあるとき、前記バルブステムの前記第２の端部が、前記マウンティングカップの長手方向軸上の、前記マウンティングカップの前記フランジの底部に直交する平面から±４ミリメートルの位置に配置される、請求項１４に記載の容器。
【請求項１６】
１つ又は複数の薬剤の少なくとも２つの異なる混合物を噴霧するための方法であって、前記方法が、
噴霧器ハウジング及び希釈剤リザーバを有する流体アプリケーションシステムを提供することであって、前記希釈剤リザーバが希釈用液体を貯蔵する、流体アプリケーションシステムを提供することと、
前記噴霧器ハウジングに第１の薬剤容器を動作可能に係合することであって、前記第１の薬剤容器が、第１の制限オリフィスを有し、第１の薬剤を貯蔵する、第１の薬剤容器を動作可能に係合することと、
前記第１の薬剤と前記希釈用液体との第１の混合物を噴霧するために前記噴霧器ハウジングをアクティブ化することと、
前記噴霧器ハウジングから前記第１の薬剤容器を動作可能に係合解除することと、
前記噴霧器ハウジングに第２の薬剤容器を動作可能に係合することであって、前記第２の薬剤容器が、第２の制限オリフィスを有し、第２の薬剤を貯蔵する、第２の薬剤容器を動作可能に係合することと、
前記第２の薬剤と前記希釈用液体との第２の混合物を噴霧するために前記噴霧器ハウジングをアクティブ化することと、
を含み、
前記第１の制限オリフィス及び前記第２の制限オリフィスが、異なる量の薬剤が通過することを可能にし、
前記第１の薬剤容器が、
前記第１の薬剤容器の開口部からの流体流れが遮断される閉鎖位置を有するバルブを含み、前記バルブが、前記第１の薬剤容器の前記開口部から流体が流れることができる開放位置を有し、前記第１の薬剤容器を前記噴霧器ハウジングに取り付けたときに、前記バルブが前記閉鎖位置から前記開放位置に移動し、
前記第１の制限オリフィスが、バルブのバルブ本体内に配置される、
混合物を噴霧するための方法。